(57)【要約】【課題】撥水性を高め、かつ、手触りを滑らかな加工木材又は木製品を提供する。【解決手段】加工木材１０は、木材よりなる基材１１と、この基材１１の表面の少なくとも一部に設けられ、基材１１に油及び撥水剤が含浸された含浸層１２と、この含浸層１２の表面に設けられ、撥水剤よりなる撥水層１３とを備えている。含浸層１２は、基材１１に油を含浸させ、その後に撥水剤を塗布することにより、撥水剤の一部が基材１１に含浸されて形成される。撥水層１３は、基材１１に含浸されなかった撥水剤の他の一部により形成される。【選択図】図１
0003217510.tif 000002
【実用新案登録請求の範囲】
【請求項１】
木材よりなる基材と、
この基材の表面の少なくとも一部に設けられ、前記基材に油及び撥水剤が含浸された含浸層と、
この含浸層の表面に設けられ、撥水剤よりなる撥水層と
を備えたことを特徴とする加工木材又は木製品。
【考案の詳細な説明】
【技術分野】
【０００１】
本考案は、撥水性を高めた加工木材又は木製品に関する。
【背景技術】
【０００２】
従来より、木材の撥水性を高めるために、木材に撥水剤を塗ることが行われている（例えば、特許文献１参照）。しかしながら、木材に撥水剤を塗ると、木材表面のけばだちが多くなり、手触りが悪いという問題があった。
【先行技術文献】
【特許文献】
【０００３】
【特許文献１】特開２００４−１１４５０１号公報
【考案の概要】
【考案が解決しようとする課題】
【０００４】
本考案は、このような問題に基づきなされたものであり、撥水性を高め、かつ、手触りを滑らかな加工木材又は木製品を提供することを目的とする。
【課題を解決するための手段】
【０００５】
本考案の加工木材又は木製品は、木材よりなる基材と、この基材の表面の少なくとも一部に設けられ、基材に油及び撥水剤が含浸された含浸層と、この含浸層の表面に設けられ、撥水剤よりなる撥水層とを備えたものである。
【考案の効果】
【０００６】
本考案によれば、木材よりなる基材の表面の少なくとも一部に油及び撥水剤を含浸させた含浸層を設け、その表面に撥水剤よりなる撥水層を設けるようにしたので、撥水性を高めることができると共に、木材のけばだちを抑え、手触りを滑らかとすることができる。
【図面の簡単な説明】
【０００７】
【図１】本考案の一実施の形態に係る加工木材又は木製品の構成を表す図である。
【考案を実施するための形態】
【０００８】
以下、本考案の実施の形態について、図面を参照して詳細に説明する。
【０００９】
図１は、本考案の一実施の形態に係る加工木材１０の構成を表すものである。この加工木材１０は、木材よりなる基材１１と、この基材１１の表面の少なくとも一部に設けられ、基材１１に油及び撥水剤が含浸された含浸層１２と、この含浸層１２の表面に設けられ、撥水剤よりなる撥水層１３とを備えている。
【００１０】
基材１１は、例えば、天然木の無垢材が好ましい。木の種類は何でもよく、例えば、松、杉、ヒノキ、ヒバ、ツガ（栂）、楢、タモ、ハリギリ（針桐）、栓、桜、又は、斧折樺が挙げられる。また、無垢材に限らず、集成材、合板、その他の木材を用いてもよい。
【００１１】
含浸層１２は、基材１１に油を含浸させ、その後に撥水剤を塗布することにより、撥水剤の一部が基材１１に含浸されて形成されるものである。なお、撥水層１３は、基材１１に含浸されなかった撥水剤の他の一部により形成される。このように、基材１１に油を含浸させた後に撥水剤を塗布し、油及び撥水剤が含浸された含浸層１２を形成することにより、木材のけばだちが抑えられ、手触りを滑らかとすることができるようになっている。また、油を含浸させずに撥水剤を塗布した場合に比べて、撥水剤の使用量が少なくすることができ、少ない量の撥水剤で撥水効果を得ることができるようになっている。
【００１２】
含浸層１２に含浸させる油は何でもよいが、植物油が好ましい。人に対する安全性が高いからである。植物油としては、例えば、椿油、オリーブオイル、こめ油、又は、エゴマ油が好ましく挙げられる。これらは地肌にも優しいとされ、特に、椿油やオリーブオイルは香りもよいからである。撥水剤は、シリコーン系、アクリル系、ウレタン系、エステル系、フッ素系、シラン系、セラミック系等、どのようなものでもよい。撥水剤は、例えば、これらのものをアルコール等の溶剤に溶解したものでもよい。なお、撥水剤は、含浸層１２の少なくとも一部に含浸されていればよい。
【００１３】
この加工木材１０は、例えば、まず、必要に応じて木材を加工して基材１１を形成し、次いで、基材１１に油を塗布して含浸させたのち、余分な油をふき取り、撥水剤を塗布することにより得られる。
【００１４】
また、本発明は、加工木材に限らず、木製品についても同様に適用することができる。木製品としては、例えば、くし、しゃもじ、バターナイフ、まな板、桶、樽、曲げわっぱ、樺細工、木製の器、漆器、カッティングボード、その他の調理用具、家具、テーブル、内装材、床材、外壁が挙げられる。木製品についても、上述した加工木材１０と同様に、木材よりなる基材１１と、この基材１１の表面の少なくとも一部に設けられ、基材１１に油及び撥水剤が含浸された含浸層１２と、この含浸層１２の表面に設けられ、撥水剤よりなる撥水層１３とを備えており、加工木材１０と同様にして製造することができる。
【００１５】
このように本実施の形態によれば、木材よりなる基材１１の表面の少なくとも一部に油及び撥水剤を含浸させた含浸層１２を設け、その表面に撥水剤よりなる撥水層１３を設けるようにしたので、撥水性を高めることができると共に、木材のけばだちを抑え、手触りを滑らかとすることができる。
【実施例】
【００１６】
（実施例１）
杉、楢、タモ、及び、ハリギリ、栓の木材をくしの形状に加工し、基材１１を形成した。次いで、各基材１１の表面につばき油を塗り、数時間放置して油を基材１１に含浸させた後、表面の余分な油をふき取った。続いて、油を塗った各基材１１の表面に、セラミック系の撥水剤を塗布し、各基材１１に含浸させて含浸層１２を形成すると共に、含浸層１２の表面に撥水層１３を形成した。これにより得られた各木製品の表面を触ったところ、いずれも木材のけばだちがなく、滑らかな手触りで、しっとりとなじみやすかった。
【００１７】
（比較例１）
各基材１１の表面に油を塗らずに撥水剤を塗布したことを除き、実施例１と同様にしてくしの木製品を作製した。つまり、含浸層１２を形成しなかった。得られた各木製品の表面を触ったところ、いずれもけばだちがあり、仕上がりのしっとりした感じがなく、手触りになじみがなかった。また、使用した撥水剤の量はいずれも実施例１よりも多く、実施例１よりも３０％程度多く必要であった。更に、撥水剤は複数回（２〜３回）に分けて塗布したが、比較例１ではけばだちがあるので、塗布するたびに研磨が必要となり作業効率が悪かった。これに対して、実施例１ではけばだちがないので、研磨が必要なく、作業効率が良かった。すなわち、基材１１に油及び撥水剤が含浸された含浸層１２を備えるようにすれば、木材のけばだちを抑え、手触りを滑らかとすることができると共に、撥水剤の使用量を低減することができ、かつ、作業効率を向上させることができることが分かった。
【００１８】
（比較例２）
基材１１の表面に油と撥水剤とを混合した混合物を塗布したことを除き、実施例１と同様にしてくしの木製品を作製した。つまり、基材１１の表面に油と撥水剤との混合物よりなる塗布層を形成した。得られた木製品の表面を触ったところ、しっとり感が実施例１に比べて少なかった。また、油と撥水剤との混合物において油を２０質量％程度しか混合できないので、撥水剤の使用量を実施例１に比べて低減することができなかった。
【００１９】
以上、実施の形態及び実施例を挙げて本考案を説明したが、本考案は上記実施の形態及び実施例に限定されるものではなく、種々変形可能である。例えば、上記実施の形態では、製造工程について具体的に説明したが、すべての工程を含んでいなくてもよく、また、他の工程を含んでいてもよい。
【符号の説明】
【００２０】
１０…加工木材、１１…基材、１２…含浸層、１３…撥水層
【図１】
0003217510.tif 000003